(57)【特許請求の範囲】
【請求項１】
操作パネル部と、
該操作パネル部の操作子対応部に対応して配設され、それぞれ所定の機能を設定するため操作される複数の透光材からなる操作子と、
その各操作子の下方に設けられた機能設定手段と、
前記各操作子の下方にそれぞれ該操作子側に向けて配設された発光素子と、
前記操作子の下方に設けられ、該操作子側に前記発光素子を取り付ける基板と
を有する操作パネルユニットであって、
前記複数の操作子は、その各々が少なくとも一端部を揺動ヒンジとし、該揺動ヒンジに連設した共通基端部によって連結されて一体的に構成され、
その共通基端部は少なくとも前記基板に近い所定部分を透光率が３０％以下の部分とし、それ以外の部分を透光材で構成するとともに、
該共通基端部と前記複数の操作子の全てが樹脂によって一体に２色成形されており、該共通基端部には、長手方向に沿って間隔を置いて、前記操作パネル部に近い側から遠い側へ向かうように複数のＶ溝状の凹部が少なくとも前記２色成形の境界であるパーティションラインまでの深さに形成され、
前記操作パネル部の下面に不透明な樹脂によって形成された複数の舌片状の遮光部材を兼ねた押え部材が、前記共通基端部の前記各凹部に少なくとも前記パーティションラインまで挿入され、該共通基端部を前記基板に押し付けるとともに遮光することを特徴とする操作パネルユニット。
【請求項２】
前記共通基端部における隣接する前記操作子間に、前記凹部と前記操作子側の面とを連通させるＶ溝状の切り込みが形成され、
該切り込みに、前記押え部材と共にＴ字状の押さえ部を形成する部材が挿入されることを特徴とする請求項１記載の操作パネルユニット。
【発明の詳細な説明】
【０００１】
【発明の属する技術分野】
この発明は、複数の操作子を備えた操作パネルユニットに関し、特に電子楽器等の各種電子機器の操作パネル部に用いられ、操作により各種の機能を設定すると共に、その設定状態を表示する役目も果たす照光式の操作子を多数備えた操作パネルユニットに関する。
【０００２】
【従来の技術】
例えば、電子オルガンやポータブルキーボード等の電子楽器の操作パネル部には、スイッチ等を操作して各種機能を選択設定するために多数の操作子が設けられており、その中には各操作子に対応してそれぞれＬＥＤ等の発光素子による光源が設けられていて、操作子が操作されて機能を設定したときには、対応する光源の点灯により、操作子が明るく照光するようにした照光式の操作子も多用されている。
このような照光式の操作子を用いれば、別に表示ランプ等を設ける必要がなくなるので、狭いスペースに多数の操作子を設けることができ、その操作状態も一目瞭然で判りやすいという利点がある。
【０００３】
【発明が解決しようとする課題】
しかしながら、従来の電子楽器等の操作パネル部に設けられている照光式の操作子は、それぞれ個別に独立して設けられ、隣接する操作子との間の遮光部部材も設ける必要があるので、その組み付け作業に手間がかかり、各操作子の部品管理も大変であった。
そこで、照光式でないスイッチの操作子に見られるように、複数の操作子を連接して一体に成形することが考えられる。
しかし、照光式の操作子は発光素子からの光を透過するように透光材で形成する必要があり、複数の操作子を透光材で一体に成形すると、発光素子の点灯による光が対応する操作子だけでなく、それに隣接する他の操作子にも漏れてしまい、複数の操作子が同時に照光してしまうという問題がある。
【０００４】
この発明は、このような問題を解決するためになされたものであり、照光式の複数の操作子を連接して一体に形成しても、発光素子の点灯による光が対応する操作子以外に漏れないようにし、組み付けが簡単でコンパクトな照光式の操作パネルユニットを提供することを目的とする。
【０００５】
【課題を解決するための手段】
この発明による操作子パネルネユニットは、操作パネル部と、その操作パネル部の操作子対応部に対応して配設され、それぞれ所定の機能を設定するため操作される複数の透光材からなる操作子と、その各操作子の下方に設けられた機能設定手段と、各操作子の下方にそれぞれ操作子側に向けて配設された発光素子と、操作子の下方に設けられ、その操作子側に発光素子を取り付ける基板とを有する操作パネルユニットである。
そして、上記の目的を達成するため、上記複数の操作子は、その各々が少なくとも一端部を揺動ヒンジとし、その揺動ヒンジに連設した共通基端部によって連結されて一体的に構成し、その共通基端部は少なくとも上記基板に近い所定部分を透光率（光透過率）が３０％以下の部分とし、それ以外の部分を透光材で構成するとともに、その共通基端部と複数の操作子の全てを樹脂によって一体に２色成形する。
さらに、その共通基端部には、長手方向に沿って間隔を置いて、上記操作パネル部に近い側から遠い側へ向かうように複数のＶ溝状の凹部を少なくとも上記２色成形の境界であるパーティションラインまでの深さに形成し、上記操作パネル部の下面に不透明な樹脂によって形成した複数の舌片状の遮光部材を兼ねた押え部材を、上記共通基端部の各凹部に少なくとも上記パーティションラインまで挿入して、その共通基端部を上記基板に押し付けるとともに遮光することを特徴とする。
【０００６】
このようにすれば、凹部に挿入された押え部材によって共通基端部を基板に押え付けることにより、複数の操作子の連接体である操作子アッセンブリを位置決め及び仮止めすることができ、且つその遮光部材を兼ねた押さえ部材と上記共通基端部の透光率が３０％以下の基板に近い所定部分とによって、隣接する操作子への光の回り込みを確実に防ぐことができる。
なお、上記所定部分の透光率をゼロ％にするのがベストであるが、所定部分とそれ以外の部分との境目においては、光透過率が増してくる。この境目ゾーンを所定部分に含めてもよく、含めなくてもよい。要は光の回り込みが起らない程度に所定部分の透光率を下げるようにすればよい。
上記複数の操作子を、上記共通基端部の両側にその長手方向に位置を互いにずらして配列するとよい。
共通基端部は、その略全体を不透光あるいは透光率の低い材料で形成してもよい。
【０００７】
また、上記共通基端部における隣接する操作子間に、上記凹部と操作子側の面とを連通させるＶ溝状の切り込みを形成し、その切り込みに、上記押え部材と共にＴ字状の押さえ部を形成する部材を挿入するとよい。
それによって、共通基端部を基板に確実に押え付け、長手方向の位置決めもできる。
【０００８】
【発明の実施の形態】
以下、この発明の好ましい実施の形態を図面を参照して説明する。
図２はこの発明による操作パネルユニットを適用したポータブルキーボードの外観例を一部切除して示す斜視図である。
このポータブルキーボードの筐体は、上ケース１と下ケース２からなり、その上ケース１の手前側に鍵盤ユニット３が配設され、上面の中央部に液晶表示器４ａを備えたディスプレイ部４が、長手方向の両端部にスピーカ５ａ，５ｂを取り付けたスピーカグリル５が、そのディスプレイ部４とスピーカグリル５との間に操作パネル部６が、それぞれ設けられている。
そして、その操作パネル部６に、この発明による操作パネルユニット１０が構成されている。そこには、多数の操作子の照光部を兼ねた操作部が、パネル上面から僅かに突出して配列されている。７，８はその他の操作子群である。
【０００９】
図３はこの操作パネル部６の操作パネルユニット１０を構成する部分の拡大平面図である。図１は図３におけるＡ−Ａ線に沿うさらに拡大した断面図、図４は操作パネル部を除いた図３に対応する側面図、図５は図３におけるＢ−Ｂ線に沿う操作パネル部のみの拡大断面図、図６は操作子アッセンブリの一部と基板とタクトスイッチの関係を示す要部斜視図である。
【００１０】
まず、図３において、操作パネル部６には長方形の開口による操作子対応部６ａと円形の開口による操作子対応部６ｂとが多数列設されており、そこに各操作子２１，４１の角柱状の操作部２１ａ，４１ａ及び各操作子３１円柱状の操作部３１ａが緩く嵌入し、それぞれ操作パネル部６のパネル上面から若干突出して、押圧操作可能になっている。この各操作子２１，３１，４１が光導体を兼ね、その各操作部２１ａ，３１ａ，４１ａが照光部を兼ねている。
操作子２１は、厚さＤ１の細長い帯状の共通基端部２２の両側にその長手方向に位置を互いにずらして多数（図示の例では手前側に７個、後ろ側に５個）配列されている。その各操作子２１は、図１および図４に明示される揺動ヒンジ２１ｂで共通基端部２２に連設し、全ての操作子２１がこの共通基端部２２によって連結されて一体的に成形されており、操作子アッセンブリ２０を構成している。
【００１１】
操作子３１は、厚さＤ１の細長い帯状の共通基端部３２の片側に一定の間隔で多数（図示のでは６個）配列されている。その各操作子３１は、図１および図４に明示される揺動ヒンジ３１ｂで共通基端部３２に連設し、全ての操作子３１がこの共通基端部３２によって連結されて一体的に成形されており、操作子アッセンブリ３０を構成している。操作子４１は単独の操作子であり、揺動ヒンジ４１ｂで基端部４２に連接している。
【００１２】
この操作子アッセンブリ２０および３０の構成について、図１および図４から図６も参照してさらに詳細に説明する。
各操作子２１は、操作部２１ａに対して揺動ヒンジ２１ｂと反対側の下部にスイッチ駆動部２１ｃを設けている。そして、複数の各操作子２１全体とそれを連結する共通基端部２２の操作パネル部６に近い上部は透光材である乳白色シリコンゴムで形成されており、共通基端部２２の操作パネル部６から遠い下部２２ａのみがカーボン入りの黒色シリコンゴムで形成され、この操作子アッセンブリ２０全体が樹脂であるシリコンゴムによって一体に２色成形されている。
【００１３】
下部２２ａは、正確な意味で下側半分である必要はないが、共通基端部の高さの半分近くであるとよい。そして、遮光性を持つように不透明であることが望ましいが、透光率が３０％以下であれば実用上問題ない。この共通基端部２２には、その長手方向に沿って若干の間隔を置いて（図３参照）、操作パネル部６ａに近い側から遠い側へ向かうように複数のＶ溝状の凹部２２ｂを形成している。この凹部２２ｂは、共通基端部２２の少なくとも白色部と黒色部の境界であるパーティションライン（図１およひ図４にＰで示す）まで、好ましくはそれ以上の深さに形成される。
【００１４】
操作子アッセンブリ３０もこの操作子アッセンブリ２０と同様に形成されている。すなわち、各操作子３１は操作部３１ａに対して揺動ヒンジ３１ｂと反対側の下部にスイッチ駆動部３１ｃを設けている。そして、複数の各操作子３１全体とそれを連結する共通基端部３２の操作パネル部６に近い上部は透光材である乳白色シリコンゴムで形成されており、共通基端部３２の基板１１に近い下部３２ａのみがカーボン入りの黒色シリコンゴムで形成され、この操作子アッセンブリ３０全体が樹脂であるシリコンゴムによって一体に２色成形されている。
下部３２ａの高さや透光率は、操作子アッセンブリ２０の場合と同様である。
この共通基端部３２にも、その長手方向に沿って若干の間隔を置いて（図３参照）、操作パネル部６に近い側から遠い側へ向かうように複数のＶ溝状の凹部３２ｂを形成している。この凹部３２ｂも、共通基端部３２の少なくとも白色部と黒色部の境界であるパーティションラインＰまで、好ましくはそれ以上の深さに形成される。
【００１５】
これらの操作子アッセンブリ２０，３０の下方には、各操作子２１，３１に対応した多数のタクトスイッチ１２および発光ダイオード（ＬＥＤ）１３を配設した基板１１が設けられている。この基板１１は、操作パネル部６の下面から下方に突設した複数本の基板取付用ボス６ｃに、基板１１に設けられたネジ孔を通して基板１１の下側から基板取付ネジ１５をねじ込んで、操作パネル部６にほぼ平行に取付けられる。この基板には、タクトスイッチ１２およびＬＥＤ１３への配線パターンなどが形成されている。
タクトスイッチ１２は、各操作子２１，３２のスイッチ駆動部２１ｃ，３１ｃの下方にそれぞれ配置されており、操作子２１，３２の押下によってＯＮ／ＯＦＦ操作されてそれぞれ所定の機能を設定／解除する機能設定手段である。
【００１６】
ＬＥＤ１３は、各操作子２１，３２のの操作部２１ａ，３１ａの下方にそれぞれ操作部２１ａ，３１ａ側に向けて配置された発光素子（光源）であり、タクトスイッチ１２がＯＮにされたときに発光（点灯）して、その光で操作子２１，３１の操作部２１ａ，３１ａを明るく照光して所定の機能が設定されたことを表示する。
このとき、共通基端部２２，３２の下部２２ａ，３２ａが透光率の低い黒色シリコンゴム等によって形成されているため、ＬＥＤ１３の発光による光が、共通基端部２２，３２を通して隣接する他の操作子２１，３１へ回り込むのをかなり防止することができる。
【００１７】
また、この実施形態では、操作パネル部６の下面から、各操作子アッセンブリ２０，３０の共通基端部２２，３２に形成した各凹部２２ｂ，３２ｂに嵌入する複数の舌片状の押え部材６ｄを一体に形成しており、操作パネルユニット１０の組み付け時に、その各押え部材６ｄが、共通基端部２２，３２の各凹部に少なくとも２色成形のパーティションまで挿入され、その下部２２ａ，３２ａを基板１１に押し付ける。
各操作子アッセンブリ２０，３０は、その各操作子２１，３１の操作部２１ａ，３１ａがそれぞれ操作パネル部６の操作子対応部６ａ，６ｂに嵌入し、共通基端部２２，３２の各凹部２２ｂ，３２ｂにそれそれ押え部材６ｄが挿入されて、その先端ａ（図５参照）が下部２２ａ，３２ａの凹部の先端ｂ（図４参照）を基板１１に押し付ける。これによって、各操作子アッセンブリ２０，３０の仮止めがなされる。この押え部材６ｄは遮光部材としても機能する。
【００１８】
さらに、図３および図５にも示されているように、操作パネル部６の下面から隣接する各操作子アッセンブリ２０，３０の長手方向の両端部と、各操作子２１間および各操作子３１間をそれぞれ仕切るように、基板１１の近くまで延びる多数の遮光壁６ｅを形成している。この遮光壁６ｅは上記基板取付用ボス６ｃおよび押え部材６ｄとともに、不透明な樹脂によって操作パネル部６と一体に成形されている。この樹脂も透光率が低いほどよいが、完全に不透明でなくとも透光率３０％以下であれば実用上問題ない。
この遮光壁６ｅが共通基端部２２，３２を跨ぐ逃げ部の下縁６ｆ（図５参照）は、押え部材６ｄが共通基端部２２又は３２の凹部２２ｂ又は３２ｂに挿入されたとき、共通基端部２２又は３２の上面に接触する。
【００１９】
また、図６に示すように、操作子アッセンブリ２０の共通基端部２２の隣接する操作子２１，２１間には、上面側から凹部２２ｂと前面（図６に示す操作子２１側の面）とを連通させるＶ溝状の切込み２２ｃが形成されており、そこにも、押え部材６ｄと遮光壁とを接続して押え部材６ｄと共にＴ字状の押さえ部を形成する部材である接続片６ｇ（図５参照）が挿入され、共通基端部２２を基板１１に確実に押え付け、長手方向の位置決めもしている。
この実施形態によれば、操作パネルユニット１０を構成する各操作子２１，３１，４１は、いずれも隣接する操作子間に共通基端部２２又は３２の黒色シリコンゴムからなる下部２２ａ又は３２ａと、不透明な樹脂からなる押え部材６ｄおよび遮光壁６ｅが設けられているため、いずれかのＬＥＤ１３が発光したときに、その光が対応する上方の操作子以外の他の操作子に回り込むのを確実に防止することができる。
【００２０】
したがって、操作パネル部６上で操作した操作部以外の操作部が光の回り込みによってうす明るく照光されるようなことがなく、操作により機能が設定された操作部のみが明るく照光してそれを明示することができる。
しかも、多数の操作子２１又は３１がそれぞれ共通基端部２２又は３２によって連結されて一体に成形され、それぞれ操作子アッセンブリ２０又は３０を構成しているので、位置決めおよび組み付けを極めて簡単に行うことができる。その部品管理も、各操作子を個別に管理するのに比べてはるかに容易になる。
操作子アッセンブリ２０は、図３に示すように、複数の操作子２１を共通基端部２２の両側にその長手方向に位置をずらして千鳥状に配列しているので、操作子の配列密度を高くすることができ、且つ共通基端部２２の両側の操作子２１同士が対向しないため、両側のＬＥＤ１３同士の距離も少し遠くなるので、光の回り込み防止効果を高めることができる。また、操作子アッセンブリとしての剛性を高める効果もある。
【００２１】
〔他の実施形態〕
次に、この発明の他の実施形態として、上述した実施形態の一部を変更した例を図７から図９によって説明する。
図７に示す実施形態は、その操作パネルユニットとしての構成は殆ど前述した実施形態と同様であるが、一部の操作子に対してはタクトスイッチを設けておらず、機能設定には使用していない点が相違するだけである。図７は、図１に相当する要部断面図であり、図１と同じ部分には同一の符号を付してその説明を省略する。
【００２２】
この操作パネルユニット１０′の操作子アッセンブリ２０′は、前述の実施形態における操作子アッセンブリ２０と同じ構成をなしているが、その多数の操作子２０のうちの１個あるいは複数個が、操作子としての機能をなさず単なる光導体（ダミーの操作子）２３となっている。この光導体２３は操作子２１と同じ形状をなし、操作子２０の揺動ヒンジ２１ｂと同じ揺動ヒンジ２３ｂによって共通基端部２２に連接しており、操作子２０の操作部２１ａとスイッチ駆動部２１ｃに相当する部分が照光部２３ａと被支持部２３ｃで構成される。
【００２３】
操作パネル部６の下面には光導体押え部材取付片６ｈが下方に延びて形成されており、その下端部に光導体押え部材１６が止めネジ１７によって固着され、光導体２３の被支持部２３ｃを下側から支持している。光導体押え部材取付片６ｈは光もれ防止のための遮光機能も果たす。上記光導体押え部材１６は、基板１１に配設されるようにしてもよい。
この光導体２３の照光部２３ａの下方には基板１１上に設けられたＬＥＤ１３が配置されており、その発光によって照光部２３ａが照光する。この照光部２３ａの照光条件とは、他の操作子２１によるタクトスイッチ１２の複数回操作や複数のタクトスイッチ１２の組み合わせ操作などによって設定される機能を表示したときなどに合致し、点灯又は点滅する。このようなものも、この発明の実施形態となる。
【００２４】
図８はこの発明による操作パネルユニットに使用する操作子アッセンブリの他の例の一部を示す平面図である。この操作子アッセンブリ３０′は、図１、図３および図４に示した操作子アッセンブリ３０と略同じ構成なので、それと対応する部分に同じ符号を付してそれらの説明は省略する。
この操作子アッセンブリ３０′が前述の操作子アッセンブリ３０と相違する点は、その共通基端部３２の同じ側で隣接する操作子３１間に、他の部分の幅Ｄ１より幅を狭くした幅狭部３２ｃ設けた点である。この幅狭部３２ｃは、共通基端部３２の両面からその高さ方向に沿ってＶ溝を形成することなどによって設けることができる。勿論一体成形時にそのＶ溝も形成することができる。
このようにすれば、隣接する操作子３１間の共通基端部３２を通しての光の回り込みを防止する効果を高めることができる。また、帯状の共通基端部３２を幅狭部３２ｃで容易に折り切ることができ、操作子の連接数が異なる操作子アッセンブリを効率よく作製することができる。
【００２５】
図９は、この発明のさらにまた他の実施形態に用いる操作子アッセンブリの平面図である。この操作子アッセンブリ５０は、これまでに説明した操作子アッセンブリとはその形状を異にしている。
この操作子アッセンブリ５０の各操作子５１は平面形状が長方形をなしており、その長手方向の両端部にそれぞれ薄肉の揺動ヒンジ５１ｂ，５１ｂを設け、それによって共通基端部５２に連接している。
【００２６】
その共通基端部５２は、各操作子５１を個別に収容する方形の操作子収容部５２ａを多数列設した枠体状の部材であり、ほぼ全体が黒色シリコンゴム等の透光率が３０％以下の略不透光な材料で形成され、その各操作子収容部５２ａに収容される各操作子５１は、乳白色シリコンゴム等の透光材で形成され、これらの全体が一体に２色成形される。そのため、共通基端部５２に各操作子５１を揺動ヒンジ５１ｂの部位で相互に連通させる縦横のチャンネル５３を設け、その各チャンネル５３を通して透光材を金型の各操作子成形部に流し込めるようにしている。
この例では、２ヶ所に樹脂ゲートが用意されるものとなる。
各操作子５１の長手方向の両側面と共通基端部５２との間には隙間があり、各操作子５１は上から押圧することにより、両端部の揺動ヒンジ５１ｂを撓ませて押し下げ可能である。なお、図示は省略しているが、各操作子５１の上部には操作部を突設し、下部にはスイッチ駆動部とＬＥＤ対応部が設けられていることは、前述の実施形態の場合と同様である。
【００２７】
上述した各実施形態では、操作子アッセンブリの成形材料として、乳白色シリコンゴムと黒色シリコンゴムを用いたが、これに限るのものではなく、弾性を有する透光性の材料と、同質で透光率の低い（ほぼ不透光）の材料で、２色成形可能な樹脂であればよい。操作子は、少なくとも一端部を揺動ヒンジとするが、図９に示した例のように両端部を揺動ヒンジにしてもよい。
操作パネル部も、黒色樹脂に限らず、ピンクやイエロー等任意の顔料で着色した樹脂なども使用できる。また、透光材樹脂として任意の着色樹脂を用いてもよい。不透光部はその着色顔料の濃度を大にすればよい。
機能設定手段はタクトスイッチに限らず、他のスイッチや、感圧センサ等のアナログセンサ、あるいはフォトセンサなどでもよい。発光素子はＬＥＤに限らず、豆ランプ等の他の発光素子を用いてもよい。
また、この発明による操作パネルユニットは、電子楽器の操作パネルに限らず、照光式の操作子を用いる各種の電子機器の操作パネルにも同様に使用できる。
【００２８】
【発明の効果】
以上説明してきたように、この発明によれば、照光式の複数の操作子を連接して一体に形成でき、しかも発光素子の点灯による光が対応する操作子以外の操作子に漏れないので、機能を設定した操作子の操作部のみが明るく照光し、それに隣接する他の操作子の操作部が弱く照光するようなことは起こらない。そして、組み付けが簡単でコンパクトな照光式の操作パネルユニットを安価に実現することができる。
【図面の簡単な説明】
【図１】図３におけるＡ−Ａ線に沿う拡大断面図である。
【図２】この発明による操作パネルユニットを適用したポータブルキーボードの外観例を一部切除して示す斜視図である。
【図３】図２に示した操作パネル部６の操作パネルユニット１０を構成する部分の拡大平面図である。
【図４】操作パネル部を除いた図３に対応する側面図である。
【図５】図３におけるＢ−Ｂ線に沿う操作パネル部のみの拡大断面図である。
【図６】操作子アッセンブリの一部と基板とタクトスイッチの関係を示す要部斜視図である。
【図７】この発明の他の実施形態を示す図１に相当する要部断面図である。
【図８】この発明のさらに他の実施形態に用いる操作子アッセンブリの一部を示す平面図である。
【図９】この発明のさらにまた他の実施形態に用いる操作子アッセンブリの揺動ヒンジ位置での水平断面図である。
【符号の説明】
１…上ケース、２…下ケース、３…鍵盤ユニット、４…ディスプレイ部、５…スピーカグリル、６…操作パネル部、６ａ，６ｂ：操作子対応部、６ｃ…基板取付用ボス、６ｄ…押え部材、６ｅ…遮光壁、６ｆ…逃げ部、６ｇ…接続片、６ｈ…光導体押え部材取付片、１０，１０′…操作パネルユニット、１１：基板、１２：タクトスイッチ、１３：発光ダイオード（ＬＥＤ）、１５…基板取付ネジ、１６…光導体押え部材、１７…止めネジ、２０，２０′，３０，３０′…操作子アッセンブリ、２１，３１，４１…操作子、２１ａ，３１ａ，４１ａ…操作部、２１ｂ，３１ｂ，４１ｂ…揺動ヒンジ、２１ｃ，３１ｃ…スイッチ駆動部、２２，３２…共通基端部、２２ａ，３２ａ：共通基端部の下部、２２ｂ，３２ｂ：Ｖ溝状の凹部、２２ｃ…切込み、２３…光導体（ダミーの操作子）、２３ａ…照光部、２３ｂ…揺動ヒンジ、２３ｃ…被支持部、５０…操作子アッセンブリ、５１…操作子、５１ｂ…揺動ヒンジ、５２…共通基端部、５２ａ…操作子収容部、５３…チャンネル
【図１】
0003794337.tif 000002
【図２】
0003794337.tif 000003
【図３】
0003794337.tif 000004
【図４】
0003794337.tif 000005
【図５】
0003794337.tif 000006
【図６】
0003794337.tif 000007
【図７】
0003794337.tif 000008
【図８】
0003794337.tif 000009
【図９】
0003794337.tif 000010